(57)【要約】【課題】軸上色収差を良好に補正し、コンパクト化した水平画角が１００度以上の広角に対応する撮像レンズ系に適する高画角での色収差を小さくできる接合レンズを提供する。【解決手段】負のメニスカスレンズである前方レンズ、両凸レンズである中間レンズ、負のメニスカスレンズである後方レンズの３枚が、この順に貼り合されており、全体として正のパワーを有し、各レンズの曲率半径、中心厚み、焦点距離、屈折率、アッベ数が特定の関係を満たす全体として正のパワーを有する広角撮像レンズ用の接合レンズ。【選択図】図１
2018205340.tif 000002
【特許請求の範囲】
【請求項１】
負のメニスカスレンズである前方レンズ、両凸レンズである中間レンズ、負のメニスカスレンズである後方レンズの３枚が、この順に貼り合されており、全体として正のパワーを有し、前記前方レンズの物体側凸面の曲率半径をｒ１、前記中間レンズの入射面の曲率半径をｒ３、前記中間レンズの像側凸面の曲率半径をｒ４、前記後方レンズの出射面の曲率半径をｒ６、前記前方レンズの屈折率をｎｄ（Ａ）、前記中間レンズの屈折率ｎｄ（Ｂ）、後方レンズの屈折率ｎｄ（Ｃ）とするとき、とするとき、条件式（１）〜（４）を満たすことを特徴とする広角撮像レンズ用の接合レンズ。
１．０＜ｒ１／ｒ３＜４．０      （１）
１．０＜ｒ６／ｒ４＜４．０      （２）
０＜ｎｄ（Ａ）−ｎｄ（Ｂ）＜０．２０      （３）
０＜ｎｄ（Ｃ）−ｎｄ（Ｂ）＜０．２０      （４）
【請求項２】
前記前方レンズと前記中間レンズ、または、前記中間レンズと前記後方レンズの何れかが、非球面により貼り合されてなることを特徴とする請求項１に記載の広角撮像レンズ用の接合レンズ。
【請求項３】
請求項２記載の接合レンズを搭載したことを特徴とする撮像レンズ。
【請求項４】
請求項３記載の撮像レンズの結像面（焦点位置）にセンサ面を配置した撮像素子を備える撮像装置。
【発明の詳細な説明】
【技術分野】
【０００１】
本発明は、広角撮像レンズ用接合レンズに関する。特に、監視用途の光学系としての、屋内外の安全性を確保する監視カメラ用レンズ系、車外及び車内監視用の車載カメラ用レンズ系などにおいて、視界が極めて広く、かつ、高い解像力を有するとともに、さらに、Ｆナンバが２．０以下と明るい光学系であり、高画角での色収差を小さくし、しかも寒暖の熱サイクルに対して十分な耐久性を備えた広角撮像レンズを実現するための接合レンズに関する。
【背景技術】
【０００２】
監視用途の光学系として、屋内外の安全性を確保する監視カメラ用レンズ系、車外及び車内監視用の車載カメラ用レンズ系などがある。監視用途の光学系には、視界が極めて広く、かつ、高い解像力を有するとともに、さらに、Ｆナンバが２．０と明るい光学系である広角撮像レンズが求められ、高画角での色収差を小さくするために、接合レンズが用いられる。
【０００３】
従来から、例えば特許文献１に示すように、撮像光学系として、負レンズ、正レンズ、負レンズからなる３枚接合レンズを含むズームレンズとすることで、像面湾曲の色収差、色のコマ収差を低減する光学系が知られている。
【０００４】
また、例えば、特許文献２に示すように、小型の広角レンズにおいて、負レンズ、正レンズ、負レンズからなる３枚接合レンズを配置し、全厚を薄くし、球面収差、コマ収差にすぐれた光学系とすることが知られている。
【０００５】
また、例えば、特許文献３に示すように、投影レンズとして、絞りから像側に、負レンズと正レンズとの間に、負レンズ、正レンズ、負レンズの３枚のレンズを接合した接合レンズを配置した光学系が知られている。
【０００６】
さらに、特許文献４に示すように、広角端の画角が８０°以上のズームレンズとして正の屈折力を有する第１群レンズを構成する負レンズ、正レンズ、負レンズの３枚のレンズを接合した接合レンズが知られている。
【特許文献１】特許５８２９７５１
【特許文献２】特開平９−２３６７４６
【特許文献３】特開２０１０−１３９８２７
【特許文献４】特開２００５−３５２３４８
【発明の概要】
【発明が解決しようとする課題】
【０００７】
３枚接合レンズは、接合面が２面となっており、通常、接合の確実性のためそれぞれの接合面がともに摺合せが可能なように球面で構成されている。
【０００８】
３枚接合レンズでは、互いに接合する球面を２面に振り分けて、それぞれの接合面の曲率を比較的緩やかに設定しているために、入射光線が充分に屈曲されず、特に水平画角が１００度以上の高画角における色収差の補正は困難であった。
【０００９】
さらに、接合されている負レンズと正レンズのアッベ数の選定のバランスにおいて、特に負レンズのアッベ数が比較的大きく、特に高画角に対応した撮像を行うにあたり、色収差の補正が充分とはいえなかった。
【００１０】
さらに、正レンズの両側に貼りついた負レンズの内外での厚みの差が大きく加熱冷却による膨張と収縮の繰り返しによって接合面が損傷するおそれがあった。
【００１１】
本発明は、上述のこれらの問題を解決するためなされたものであり、軸上色収差を良好に補正して高解像化が図れる接合レンズ、あるいは、コンパクト化を実現することができる広画角の撮像レンズ系に好適な接合レンズ、さらには形状の対称性が高く、広画角であって熱サイクルに強い接合レンズを提供することを、それぞれ目的とする。
【課題を解決するための手段】
【００１２】
本発明の接合レンズにより、水平画角が１００度以上、１３０度以上、１５０度以上、１８０度以上、２００度以上の広角に対応し、コンパクト化された撮像レンズ系を実現できる。すなわち、絞りよりも像側には、接合レンズのみを配置するだけで、他に、撮像素子に集光させるための追加のレンズが不要であることから、撮像レンズ系のレンズ枚数を減らし全長の増大を抑えることができる。
【００１３】
このような、本発明の接合レンズＬＡＢＣは、３枚のレンズの貼り合わせからなり、物体側から順に、前方レンズＬＡ、中間レンズＬＢ、後方レンズＬＣとすると、前方レンズＬＡの像側レンズ面と中間レンズＬＢの物体側レンズ面とが貼り合わされており、かつ、中間レンズＬＢの像側レンズ面と後方レンズＬＣの物体側レンズ面とが貼り合わされており、全体として正のパワーを有する。
【００１４】
接合レンズＬＡＢＣの構成の態様としては、前方レンズＬＡと後方レンズＬＣとのパワーを同符号とし、中間レンズＬＢとの符号を異符合とし、すなわち、前方レンズＬＡおよび後方レンズＬＣを負レンズ、中間レンズＬＢを正レンズとするか、前方レンズＬＡおよび後方レンズＬＣを正レンズ、中間レンズＬＢを負レンズとし、負レンズに比べて正レンズのパワーを強めることによって全体として正のパワーとすることが望ましい。
【００１５】
ここに負レンズのアッベ数を正レンズのアッベ数より小さくすることが望ましい。すなわち、負レンズを構成するレンズ材料のアッベ数は３４以下または３３以下、望ましくは２８以下または２７以下、正レンズを構成するレンズ材料のアッベ数は５０以上、望ましくは５６以上である。また、正レンズと負レンズのアッベ数の差は２８以上であることが望ましい。
【００１６】
接合レンズが、撮像レンズ系において絞りの像側に配置される場合に、仮に接合レンズが全体として負のパワーを有するとすると、軸上色収差の補正はできても、全長の増大を抑えるために、接合レンズの像側に、撮像素子に集光させるための（テレセントリック性を確保するための）追加のレンズをさらに配置しなくてはならないという問題が生ずる。
【００１７】
これに対し、本発明の接合レンズは全体として正のパワーを有することで、像側に追加の集光レンズを配置しなくても済むので、レンズ枚数を減らしコンパクト化が実現できる。
【００１８】
本発明の接合レンズは、負レンズのアッベ数が正レンズのアッベ数より小さいことが望ましく、負レンズのアッベ数を３３以下、正レンズのアッベ数を５０以上とすることで、軸上色収差を良好に補正することができる。
【００１９】
さらに本発明の接合レンズは、負レンズの屈折率ｎｄが正レンズの屈折率ｎｄより大きいことが望ましく、負レンズの屈折率ｎｄは１．６以上、正レンズの屈折率ｎｄは１．６未満であることが望ましい。さらに、負レンズの屈折率ｎｄを１．６２以上、正レンズの屈折率ｎｄは１．５５未満であることがより望ましい。但し、正レンズの屈折率ｎｄは１．５０以上であることがより望ましい。
【００２０】
本発明の接合レンズを適用できる広角撮像レンズ系としては、例えば、物体側から順に、像側に凹形状で負のパワーを有する第１レンズと、像側に凹形状で負のパワーを有する第２レンズと、物体側に凸形状で正のパワーを有する第３レンズと、負のパワーを有する第４レンズと、絞りとを有し、この絞りより像側に本発明の接合レンズが配置される。
【００２１】
本発明の接合レンズは、前方レンズＬＡと後方レンズＬＣとを負のパワーとし、中間レンズＬＢを正のパワーとすることが望ましい。
【００２２】
前方レンズＬＡと中間レンズＬＢおよび中間レンズＬＢと後方レンズＬＣを接合する物体側および像側の各接着剤層とから構成され、前記前方レンズＬＡにおける物体側の面の光軸近傍は凸形状であることが好ましく、前記後方レンズＬＣにおける像側の面の光軸近傍は凸形状であることが好ましい。接合レンズをこのような構成にすることで、軸上色収差をより良好に補正することができる。
【００２３】
本発明の接合レンズＬＡＢＣにおいて、前方レンズＬＡの入射面の曲率半径をｒ１、前方レンズＬＡの出射面の曲率半径をｒ２、前方レンズＬＡの中心厚みをｄＡ、中間レンズＬＢの入射面の曲率半径をｒ３、中間レンズＬＢの出射面の曲率半径をｒ４、中間レンズＬＢの中心厚みをｄＢ、後方レンズＬＣの入射面の曲率半径をｒ５、後方レンズＬＣの出射面の曲率半径をｒ６、後方レンズＬＣの中心厚みをｄＣとする。
【００２４】
ここに、接合レンズの入射面（前方レンズＬＡの物体側面）の曲率半径ｒ１、接合レンズの出射面（後方レンズＬＣの像側面）の曲率半径ｒ６は、ともに接合レンズの中心厚みｄ（前方レンズの中心厚みｄＡと、中間レンズＬＢの中心厚みｄＢと、後方レンズの中心厚みｄＣとの総和に相当する。）よりも短いことが、水平画角が１３０度以上の広角に対応しコンパクト化された撮像レンズ系を実現するのに望ましい。
【００２５】
なお接合面が球面であると、屈折面となる接合面の曲率を光線高さに応じて変えるなどの柔軟性に乏しく、色収差の補正が充分とはいえないため、本発明の接合レンズでは、前記３枚接合レンズにおける貼り合わせ面は非球面であることが好ましい。貼り合わせ面を非球面とすることで、軸上色収差をより良好に補正することができる。
【００２６】
本発明の接合レンズでは、前記中間レンズＬＢのパワーを正とするとき、物体側レンズ面および像側レンズ面のいずれもが凸形状であることが好ましい。中間レンズＬＢを両凸形状にすることにより３枚接合レンズが正のパワーを発生させるので、テレセントリック性を確保しやすくなる。
【００２７】
ここに、前方レンズの物体側凸面の曲率半径をｒ１とし、中間レンズの入射面（物体側接合面）の曲率半径をｒ３とし、中間レンズの出射面（像側接合面）の曲率半径をｒ４とし、後方レンズの像側凸面の曲率半径をｒ６とするとき、下記の条件式（１）（２）の何れかを満たすと、曲率が強いため、高画角の撮像レンズとなり、形状に対称性が付与され、熱サイクルに対する接合面の耐久性が優れる。
１．０＜ｒ１／ｒ３＜４．０      （１）
１．０＜ｒ６／ｒ４＜４．０      （２）
【００２８】
ここに、条件式（１）の下限は、好ましくは２．０、さらに好ましくは１．６、より好ましくは１．２とすることができる。条件式（１）の上限は、好ましくは３．５、さらに好ましくは３．０、より好ましくは２．５とすることができる。また条件式（２）の下限は、好ましくは１．４、さらに好ましくは１．２、より好ましくは１．４とすることができる。条件式（２）の上限は、好ましくは３．２、さらに好ましくは２．４、より好ましくは２．０とすることができる。
【００２９】
さらに、熱サイクルに対する耐久性は、相互に貼りあわせる前方レンズと中間レンズ、中間レンズと後方レンズの熱的性質が近似することが望ましく、熱的性質の目安となる密度の指標となる屈折率の関係が、前方レンズの屈折率ｎｄ（Ａ）、中間レンズの屈折率ｎｄ（Ｂ）、後方レンズの屈折率ｎｄ（Ｃ）との間に条件式（３）（４）を満たすことが望ましい。
０＜（ｎｄ（Ａ）−ｎｄ（Ｂ））＜０．２０      （３）
０＜（ｎｄ（Ｃ）−ｎｄ（Ｂ））＜０．２０      （４）
【００３０】
ここに条件式（３）および（４）の上限は、好ましくは０．１８、さらに好ましくは０．１４、より好ましくは０．１２とすることができる。
【００３１】
条件式（１）（２）（３）（４）を満たすことにより、中間レンズとの屈折率差が小さい前方レンズおよび後方レンズが盃状に中間レンズを包み込む構造が成立し、形状にも対称性が与えられ、熱サイクルに対する接合面の耐久性が優れる。
【００３２】
このことは、負レンズの屈折率は正レンズの屈折率より大きく、しかしその差は０．２０未満であることが望ましい。正負のレンズが複数あるときも、負レンズの屈折率をｎｎ、正レンズの屈折率をｎｐとしたときに、アッベ数の差が大きくても０．２０未満となること、すなわち、条件式（５）が成り立つことが望ましいことを意味する。
０＜（ｎｎ−ｎｐ）＜０．２０      （５）
【００３３】
なお、条件式（５）の下限は、０．０２もしくは０．０５とすることがより好ましい。
【００３４】
さらに、前方レンズＬＡ、後方レンズＬＣの厚みは、曲率半径の大きい方のレンズ面と、曲率半径の小さい方の接合面との距離が変わることにより変化するため、光軸上での厚みと周辺部の厚みとの差が小さいほど、熱サイクルによる膨張収縮の影響は小さいが、光学設計上のパワーを確保する必要があるため、中間レンズＬＢが正の両凸レンズで、前方レンズＬＡ及び後方レンズＬＣが負のメニスカスレンズである場合に、前方レンズＬＡについて、
｛ｄＡ／（ｒ１−ｒ３）｝＞０．２      （６）
後方レンズＬＣについて、
｛ｄＣ／（ｒ６−ｒ４）｝＜−０．２      （７）
が成り立つことが望ましい。
【００３５】
条件式（６）（７）を満たすことにより、前方・後方の各凹レンズの中心と周辺との厚みの差を小さくすることができ、熱サイクルに強くすることができる。条件式（６）の上限は好ましくは０．８、より好ましくは０．６、条件式（７）の下限は−１．５とすることが望ましい。
【００３６】
また、前方後方の両レンズで中間レンズを包み込む構成となっていることが望ましく、接合レンズの入射面や出射面の曲率半径ｒ１、ｒ６をレンズ面の曲率半径Ｒとし、入射側や出射側の接合面の曲率半径ｒ３、ｒ４を接合面の曲率ｒとして再定義したときに、入射側と出射側がともに、
０＜｛（Ｒ−ｒ）／（Ｒ＋ｒ）｝≦０．５０    （８）
が成り立つことが望ましく、この場合に、負レンズの屈折率をｎｎ、正レンズの屈折率をｎｐとの間に条件式（５）が成り立つことが望ましい。
【００３７】
条件式（８）（５）を満たすことにより、前方・後方の各レンズが中間レンズを包み込む曲率となり、屈折率差が小さくても高画角での色収差が補正できる。条件式（８）の下限は０．２とすることが望ましい。
【００３８】
なお、本発明においては、
０．３３≦｛（ｒ１−ｒ３）／（ｒ１＋ｒ３）｝≦０．５０
０≦｛（ｒ６−ｒ４）／（ｒ６＋ｒ４）｝≦０．３２
の範囲で入射側と出射側の形状のバランスが異なっている。
【００３９】
色収差の補正の性能の観点からすれば、入射面と出射面が大きく屈曲することが望ましく、前方レンズの物体側面の曲率半径ｒ１と、後方レンズの像側面の曲率半径ｒ６は、それぞれ、レンズの中心厚みｄ（＝ｄＡ＋ｄＢ＋ｄＣ）よりも短く、条件式（９）および条件式（１０）を満たすことが望ましい。
｜ｒ１｜／ｄ  ＜  １．５      （９）
｜ｒ６｜／ｄ  ＜  １．５      （１０）
【００４０】
条件式（９）（１０）を満たすことにより、各レンズ面の曲率半径に対して中心厚みを確保することができ、高画角において十分な結像性能を発揮して、画角が１００°を超える広角撮像レンズを構成できる。条件式（９）の下限は０．５とすることが望ましい。条件式（１０）の下限は０．３とすることが望ましい。
【００４１】
接合レンズの性質として正のパワーを発揮する中間レンズＬＢの形状は重要である。特に、水平画角が１３０度以上の広角に対応しコンパクト化された撮像レンズ系を実現するために、中間レンズＬＢとしては、入射面（物体側接合面）の曲率半径ｒ３の絶対値と、出射面（像側接合面）の曲率半径ｒ４の絶対値は、それぞれ、中間レンズの中心厚みｄＢに対して、下記の条件式（１１）（１２）を満たすことが望ましい。
｜ｒ３｜／ｄＢ  ＜  １．４      （１１）
｜ｒ４｜／ｄＢ  ＜  １．４      （１２）
【００４２】
条件式（１１）（１２）を満たすことにより、両接合面の曲率半径に比べて接合面間距離を確保することにより、２つの接合面で効果的に屈折させることができ、高画角における色収差を効果的に補正することができる。
【００４３】
ここに、条件式（１１）の上限は、好ましくは１．０、さらに好ましくは０．８、より好ましくは０．６とすることができる。また条件式（１２）の上限は、好ましくは１．０、さらに好ましくは０．７、より好ましくは０．５とすることができる。また、条件式（１１）および（１２）の下限はともに、０．１あるいは０．３とすることができる。
【００４４】
さらに、入射面（物体側接合面）の曲率半径の絶対値と出射面（像側接合面）の曲率半径の絶対値の合計が中間レンズの中心厚みｄＢよりも短い、下記の条件式（１３）を満たすことがより望ましい。
（｜ｒ３｜＋｜ｒ４｜）／ｄＢ  ＜  １．８  （１３）
【００４５】
負レンズの屈折率をｎｎ、正レンズの屈折率をｎｐとしたときに、前方レンズと中間レンズあるいは中間レンズと後方レンズの何れの組合せも、アッベ数の差が大きくても０．２０未満となること、すなわち、条件式（５）が成り立つことが望ましい。
【００４６】
条件式（１３）（５）を満たすことにより、接合面の曲率を強くして中間レンズを包み込み、屈折率差を小さくしてパワーを調整し、適切に色収差を補正することができる。条件式（１３）の下限は０．６とすることが望ましい。
【００４７】
また、中間レンズの物体側凸面の曲率半径ｒ３と、像側凸面の曲率半径ｒ４と、中間レンズの中心厚みｄＢとの間に、条件式（１４）を満たすことがより望ましい。
１．０≦（ｄＢ／√｜ｒ３・ｒ４｜）    （１４）
【００４８】
条件式（１４）を満たすことにより、中間凸レンズの中心厚みを接合面の曲率半径より長くすることで、高画角において色収差補正を効果的に行なうことができる。条件式（１４）の上限は３．０とすることが望ましい。
【００４９】
本発明の接合レンズでは、前記前方レンズＬＡの焦点距離をｆＡ、前記中間レンズＬＢの焦点距離をｆＢ、前記後方レンズＬＣの焦点距離をｆＣ、とするときに、下記の条件式（１５）を満足することが好ましい。
−２．０＜｛１／（１／ｆＡ＋１／ｆＣ）／ｆＢ｝＜−１．２    （１５）
【００５０】
条件式（１５）は、前方レンズＬＡと後方レンズＬＣとの合成焦点距離と、中間レンズＬＢの焦点距離と、の比を表す。条件式（１５）を満たすことにより、前方レンズと後方レンズの合成焦点距離と、中間レンズの焦点距離が、ほぼつりあい、少しパワーが正となり、接合レンズの負と正のパワーのバランスをとり、色収差を適正に補正し、結像性能を確保することができる。
【００５１】
条件式（１５）の上限値を上回ると、前方レンズＬＡと後方レンズＬＣとの合成パワーが増大するため、色収差の補正が過剰となり、結像性能の劣化を招く。条件式（１５）の下限値を下回ると、前方レンズＬＡと後方レンズＬＣとの合成パワーが減少するため、色収差補正が不足し、この場合にも結像性能の劣化を招く。なお条件式（１５）の上限はより好ましくは−１．２３、下限はより好ましくは−１．６０である。
【００５２】
さらに、ｆＣ／ｆＢは、それぞれ条件式（１６）を満たすことが望ましい。すなわち、ｆＣ／ｆＢは−２．３〜−７．０が好ましく、さらに−２．８〜−６．８がより好ましい。
−７．０＜（ｆＣ／ｆＢ）＜−２．３    （１６）
【００５３】
条件式（１６）を満たすことにより、中間レンズＬＢと後方レンズＬＣのパワーを調整することでより適切に色収差補正と結像性能のバランスを図ることができる。
【００５４】
さらに本発明において、高画角においても充分に色収差を補正するために、前方レンズＬＡの中心厚みｄＡ、中間レンズＬＢの中心厚みｄＢ、後方レンズＬＣの中心厚みｄＣとの総和に相当する接合レンズの中心厚みｄと、前方レンズＬＡと中間レンズＬＢと後方レンズＬＣの合成焦点距離（３枚接合レンズの焦点距離）fＡＢＣとの間に条件式（１７）が成り立つことが望ましい。すなわち、ｄ／fＡＢＣが１．０以上、より好ましくは１．１以上で、３．０以下であることが望ましい。
ｄ／fＡＢＣ  ≧１．０    （１７）
【００５５】
条件式（１７）を満たすことにより、中心厚みを焦点距離より長くすることができ、高画角において十分な結像性能を発揮して、画角１００°を超える広角撮像レンズを構成できる。条件式（１７）の上限は好ましくは１．４で、１．３であることがより望ましい。
【００５６】
また、高画角においても充分に結像性能を発揮するために、接合レンズの中心厚みｄと、接合レンズの入射面の曲率半径ｒ１と出射面の曲率半径ｒ６で表したレンズ面の平均曲率半径√｜ｒ１・ｒ６｜との間に、条件式（１８）が成り立つことが望ましい。
０≦ｄ／√｜ｒ１・ｒ６｜    （１８）
【００５７】
条件式（１８）を満たすことにより、中心厚みをレンズ面の平均曲率半径より長くすることができ、高画角において十分な結像性能を発揮して、画角１００°を超える広角撮像レンズを構成できる。
【００５８】
条件式（１８）の上限は好ましくは２．０で、１．８であることがより望ましい。
【００５９】
また、本発明において、接合面の法線角度を確保して色収差の補正を容易にするため、中間レンズＬＢの中心厚みｄＢと中間レンズＬＢの焦点距離fＢの絶対値｜fＢ｜との間に条件式（１９）が成り立つことが望ましい。すなわち、ｄＢ／｜fＢ｜が１．０以上、好ましくは１．１以上、さらには１．３以上、より好ましくは１．４以上であることが望ましい。
ｄＢ／｜fＢ｜≧１．０    （１９）  
【００６０】
条件式（１９）を満たすことにより、高画角において十分な結像性能を発揮できる。条件式（１９）の上限は好ましくは２．０で、１．６であることがより望ましい。
【００６１】
本発明で接合レンズとしての正のパワーを支配する中間レンズＬＢのアッベ数をνｄ（Ｂ）、中間レンズＬＢの焦点距離をfＢとして、fＢ／νｄ（Ｂ）は、小さいことが望ましく、条件式（２０）を満たすことが好ましい。
｜fＢ｜／νｄ（Ｂ）≦０．１    （２０）
【００６２】
条件式（２０）を満たすことにより、中間レンズＬＢによるＦ線（４８６ｎｍ）とＣ線（６５６ｎｍ）のピント位置の差が小さくなり、結果として色収差が良好に補正される。
【００６３】
なお、｜fＢ｜／νｄ（Ｂ）の値は、０．０６以下、０．０５以下、０．０４以下、０．０３以下と小さい方がより望ましい。条件式（２０）の下限は好ましくは０．０１である。
【００６４】
さらに本発明において、高画角においても充分に色収差を補正するために、前方レンズＬＡと中間レンズＬＢと後方レンズＬＣの合成焦点距離（３枚接合レンズの焦点距離）fＡＢＣと、中間レンズの入射面（物体側接合面）の曲率半径ｒ３、中間レンズの出射面（像側接合面）の曲率半径ｒ４との間に条件式（２１）が成り立つことが望ましい。
２．４≦（fＡＢＣ  ／√｜ｒ３・ｒ４｜）≦３．０    （２１）
【００６５】
条件式（２１）を満たすことにより、高画角における色収差を補正できる。
【００６６】
本発明において、高画角においても充分な結像性能を得るために、前方レンズＬＡと中間レンズＬＢと後方レンズＬＣの合成焦点距離（３枚接合レンズの焦点距離）fＡＢＣと、接合レンズの入射面の曲率半径ｒ１、出射面の曲率半径ｒ６との間に条件式（２２）が成り立つことが望ましい。
１．０≦fＡＢＣ  ／√（｜ｒ１・ｒ６｜）≦３．０    （２２）
【００６７】
条件式（２２）を満たすことにより、高画角において十分な結像特性を発揮する。
【００６８】
さらに本発明において、高画角においても充分に色収差を補正するために、中間レンズＬＢの焦点距離fＢと、中間レンズの入射面（物体側接合面）の曲率半径ｒ３、中間レンズの出射面（像側接合面）の曲率半径ｒ４との間に条件式（２３）が成り立つことが望ましい。
１．３≦（fＢ  ／√｜ｒ３・ｒ４｜）≦１．７    （２３）
【００６９】
条件式（２３）を満たすことにより、高画角における色収差を補正できる。
【００７０】
本発明で接合レンズとしての正のパワーを支配する中間レンズＬＢのアッベ数をνｄ（Ｂ）、ともに負のパワーを支配する前方レンズＬＡのアッベ数をνｄ（Ａ）、後方レンズＬＣのアッベ数をνｄ（Ｃ）として、条件式（２４）を満たすことが好ましい。
１．７≦（νｄ（Ｂ）／√νｄ（A）・νｄ（C））≦２．５    （２４）
【００７１】
条件式（２４）を満たすことにより、色収差を効果的に補正することができる。
【００７２】
本発明で負レンズの厚みと正レンズの厚みのバランスにより安定した結像を実現するには、接合レンズとしての正のパワーを支配する中間レンズＬＢの中心厚みｄＢの、ともに負のパワーを支配する前方レンズＬＡの中心厚みｄＡと後方レンズＬＣの中心厚みｄＣとの和に対する比率｛ｄＢ／（ｄＡ＋ｄＣ）｝は、条件式（２５）を満たすことが好ましい。
１．００≦｛ｄＢ／（ｄＡ＋ｄＣ）｝≦２．４８      （２５）
【００７３】
条件式（２５）を満たすことにより、負レンズ成分の中心厚みと正レンズ成分の中心厚みのバランスにより安定した結像を実現することができる。
【００７４】
本発明では、両凸レンズである前記中間レンズの屈折率ｎｄ（Ｂ）が、条件式（２６）を満たすことが好ましい。
ｎｄ（Ｂ）≧１．５２      （２６）
【００７５】
条件式（２６）を満たすことにより、本発明の接合レンズを小型化することができる。
【００７６】
さらに、両凸レンズである前記中間レンズのアッベ数νｄ（Ｂ）が、条件式（２７）を満たすことが好ましい。
νｄ（Ｂ）≦６４      （２７）
【００７７】
条件式（２７）を満たすことにより、前方レンズＬＡと、後方レンズＬＣとの兼ね合いで色収差を効果的に補正することができる。
【００７８】
本発明の接合レンズは、上述の撮像レンズ系と、前記撮像レンズ系の焦点位置に配置された撮像素子にも、適用が可能である。
【発明の効果】
【００７９】
本発明の接合レンズによれば、軸上色収差を良好に補正して高解像化が図れるとともに、コンパクト化を実現することができる広画角の撮像レンズ系及び撮像装置を提供することができる。
【図面の簡単な説明】
【００８０】
【図１】実施例１に係る接合レンズを適用した撮像レンズ系の断面図である。
【図２】実施例１に係る接合レンズを適用した撮像レンズ系の収差図である。
【図３】実施例２に係る接合レンズを適用した撮像レンズ系の断面図である。
【図４】実施例２に係る接合レンズを適用した撮像レンズ系の収差図である。
【図５】実施例３に係る接合レンズを適用した撮像レンズ系の断面図である。
【図６】実施例３に係る接合レンズを適用した撮像レンズ系の収差図である。
【図７】実施例４に係る接合レンズを適用した撮像レンズ系の断面図である。
【図８】実施例４に係る接合レンズを適用した撮像レンズ系の収差図である。
【図９】実施の形態に係る撮像装置の断面図である。
【発明を実施するための形態】
【００８１】
以下、本発明の実施の形態に係る接合レンズを適用した撮像レンズ系１１の実施例について説明する。
【００８２】
［実施例１］
図１は、実施例１の接合レンズを適用した撮像レンズ系１１の構成を示す図である。図１に示すように、実施例１の接合レンズを適用した撮像レンズ系１１は、物体側から像側に向かって順に、像側に凹形状で負のパワーを有する第１レンズＬ１と、像側に凹形状で負のパワーを有する第２レンズＬ２と、物体側に凸形状で正のパワーを有する第３レンズＬ３と、絞りＳＴＯＰと、像側に凹形状で負のパワーを有する前方レンズＬＡと、物体側および像側に凸形状で正のパワーを有する中間レンズＬＢと、物体側に凹形状で負のパワーを有する後方レンズＬＣとからなる接合レンズＬＡＢＣ、から構成される。接合レンズＬＡＢＣは撮像レンズ系１１の第４レンズとなっている。撮像レンズ系１１の結像面はＩＭＧで示されている。
【００８３】
第１レンズＬ１は、負のパワーを有する球面メニスカスレンズである。第１レンズＬ１の物体側レンズ面Ｓ１は正の曲率を有する球面であり、像側レンズ面Ｓ２は正の曲率を有する球面である。物体側レンズ面Ｓ１は物体側に突出する凸形状の曲面部分を有している。像側レンズ面Ｓ２は物体側に窪む凹形状の曲面部分を有している。
【００８４】
第２レンズＬ２は、負のパワーを有する非球面レンズである。第２レンズＬ２の物体側レンズ面Ｓ３は負の曲率を有する非球面であり、像側レンズ面Ｓ４は正の曲率を有する非球面である。物体側レンズ面Ｓ３は光軸Ｚの近傍で像側に突出する凸形状の曲面部分を有している。像側レンズ面Ｓ４は物体側に窪む凹形状の曲面部分を有している。
【００８５】
第３レンズＬ３は、正のパワーを有する非球面レンズである。物体側レンズ面Ｓ５は正の曲率を有する非球面であり、像側レンズ面Ｓ６は負の曲率を有する非球面である。物体側レンズ面Ｓ５は物体側に突出する凸形状の曲面部分を有しており、像側レンズ面Ｓ６は光軸Ｚの近傍で像側に突出する凸形状の曲面部分を有している。
【００８６】
第１レンズＬ１及び第２レンズＬ２は、大きい入射角からの入射光線を少しずつ光軸Ｚに沿った小さい角度に変換してから絞りＳＴＯＰを通過させる働きを有する。第１レンズＬ１及び第２レンズＬ２の像側レンズ面は、光線を拡げるために、双方とも負の曲率を有する。第３レンズＬ３は、物体側に凸形状の正レンズであり、第１レンズＬ１及び第２レンズＬ２で発散された光線を収束させる働きを有する。広角化を達成するために上記の構成が必要であり、１３０度以上の全画角を達成できる。
【００８７】
接合レンズＬＡＢＣの物体側の前方レンズＬＡは、負のパワーを有する非球面レンズである。前方レンズＬＡの物体側レンズ面Ｓ９は正の曲率を有する非球面であり、像側レンズ面Ｓ１０は正の曲率を有する非球面である。物体側レンズ面Ｓ９は光軸Ｚの近傍で物体側に突出する凸形状の曲面部分を有している。像側レンズ面Ｓ１０は物体側に窪む凹形状の曲面部分を有している。
【００８８】
接合レンズＬＡＢＣの中間レンズＬＢは、正のパワーを有する非球面レンズである。中間レンズＬ５の物体側レンズ面Ｓ１１は正の曲率を有する非球面であり、像側レンズ面Ｓ１２は負の曲率を有する非球面である。物体側レンズ面Ｓ１１は光軸Ｚの近傍で物体側に突出する凸形状の曲面部分を有している。像側レンズ面Ｓ１２は光軸Ｚの近傍で像側に突出する凸形状の曲面部分を有している。
【００８９】
接合レンズＬＡＢＣの後方レンズＬＣは、負のパワーを有する非球面メニスカスレンズである。後方レンズＬＣの物体側レンズ面Ｓ１３は負の曲率を有する非球面であり、像側レンズ面Ｓ１４は負の曲率を有する非球面である。物体側レンズ面Ｓ１３は像側に窪む凹形状の曲面部分を有している。像側レンズ面Ｓ１４は光軸Ｚの近傍で像側に突出する凸形状の曲面部分を有している。
【００９０】
前方レンズＬＡの像側レンズ面Ｓ１０と中間レンズＬＢの物体側レンズ面Ｓ１１とは接着剤により貼り合わされている。また、中間レンズＬＢの像側レンズ面Ｓ１２と後方レンズＬＣの物体側レンズ面Ｓ１３とは接着剤により貼り合わされている。すなわち、前方レンズＬＡ、中間レンズＬＢおよび後方レンズＬＣの３枚のレンズを貼り合わせることにより、３枚接合レンズを構成する。つまり、撮像レンズ系１１では、絞りＳＴＯＰよりも像側には本発明に係る３枚接合レンズのみが配置されている。
【００９１】
ＩＲカットフィルタ１２は、赤外領域の光をカットするためのフィルタである。カバーガラス１３は、撮像素子を保護するためのガラス板である。ＩＲカットフィルタ１２及びカバーガラス１３は、撮像レンズ系１１の設計時には、撮像レンズ系１１と一体として扱われる。しかし、ＩＲカットフィルタ１２及びカバーガラス１３は、撮像レンズ系１１の必須の構成要素ではない。
【００９２】
表１に、撮像レンズ系１１の各レンズ面のレンズデータを示す。レンズデータとしては、各面の曲率半径、面間隔、屈折率及びアッベ数を載せている。「＊印」がついた面は、非球面であることを示している。
【００９３】
【表１】
2018205340.tif 000003
【００９４】
表１において、接合レンズの前方レンズＬＡのアッベ数νｄ（Ａ）は、前方レンズＬＡの物体側のレンズ面である第９面の欄に記載されている２４である。接合レンズの中間レンズＬＢのアッベ数νｄ（Ｂ）は、中間レンズＬＢの物体側のレンズ面である第１１面の欄に記載されている５６である。このように中間レンズＬＢのアッベ数νｄ（Ｂ）は５６であり、６４よりも小さい。
【００９５】
接合レンズの後方レンズＬＣのアッベ数νｄ（Ｃ）は、後方レンズＬＣの物体側のレンズ面である第１３面の欄に記載されている２４である。つまり、実施例１において、接合レンズとしての前方レンズＬＡおよび後方レンズＬＣのアッベ数は３３以下、中間レンズＬＢのアッベ数は５０以上である。
【００９６】
接合レンズＬＡＢＣの前方レンズＬＡの屈折率ｎｄ（Ａ）は、前方レンズＬＡの物体側のレンズ面である第９面の欄に記載されている１．６３５である。中間レンズＬＢの屈折率ｎｄ（Ｂ）は、中間レンズＬＢの物体側のレンズ面である第１１面の欄に記載されている１．５３５である。このように中間レンズＬＢの屈折率ｎｄ（Ｂ）は１．５３５であり、１．５２よりも大きい。
【００９７】
後方レンズＬＣの屈折率ｎｄ（Ｃ）は、後方レンズＬＣの物体側のレンズ面である第１３面の欄に記載されている１．６３５である。つまり、実施例１において、接合レンズとしての前方レンズＬＡおよび後方レンズＬＣの屈折率ｎｄ（Ａ）、ｎｄ（Ｃ）は１．６以上、中間レンズＬＢの屈折率ｎｄ（Ｂ）は１．６未満である。
【００９８】
前方レンズと中間レンズを接合する物体側接着層のアッベ数は第１０面の欄に記載されている５０であり屈折率ｎｄは１．５００である。中間レンズと後方レンズを接合する像側接着層のアッベ数は第１２面の欄に記載されている５０であり屈折率ｎｄは１．５００である。
【００９９】
従って、物体側および像側の接着剤層は、負のパワーを備える前方レンズＬＡおよび後方レンズより大きく、かつ、正のパワーを備える中間レンズＬＢより小さいアッベ数を有している。
【０１００】
また接着剤層は、前方レンズＬＡおよび後方レンズＬＣより小さく、かつ、中間レンズＬＢより小さい屈折率ｎｄを有している。
【０１０１】
また、３枚接合レンズＬＡＢＣにおける貼り合わせ面の両方とも非球面である。
【０１０２】
第９面から第１４面が、接合レンズＬＡＢＣの構成となる。第９面は前方レンズＬＡの入射面（曲率半径をｒ１、中心厚みをｄＡとする。）、第１０面は前方レンズＬＡの出射面（曲率半径をｒ２とする。）、第１１面は中間レンズＬＢの入射面（曲率半径をｒ３、中心厚みをｄＢとする。）、第１２面は中間レンズＬＢの出射面（曲率半径をｒ４とする。）、第１３面は後方レンズＬＣの入射面（曲率半径をｒ５、中心厚みをｄＣとする。）、第１４面は後方レンズＬＣの出射面（曲率半径をｒ６とする。）を表している。第１０面と第１１面との間、第１２面と第１３面との間は接着剤で満たされている。
【０１０３】
接合レンズの入射面（前方レンズＬＡの物体側面）の曲率半径ｒ１は、第９面の欄に記載されている２．２３２（ｍｍ）である。接合レンズの出射面（後方レンズＬＣの像側面）の曲率半径ｒ６は、第１４面の欄に記載されている−１．４５２の絶対値１．４５２（ｍｍ）である。ともに接合レンズの中心厚みｄ（前方レンズの中心厚みｄＡ＝０．４５と、中間レンズの中心厚みｄＢ＝１．９９８と、後方レンズの中心厚みｄＣ＝０．４５の総和）２．８９８（ｍｍ）よりも短い。
【０１０４】
また、中間レンズＬＢの入射面（物体側接合面）の曲率半径ｒ３は第１１面の１．０２４（ｍｍ）、出射面（像側接合面）の曲率半径ｒ４は第１２面の−０．７５４の絶対値０．７５４（ｍｍ）で、それぞれ、中間レンズＬＢの中心厚みｄＢ（第１１面の面間隔の欄の１．９９８（ｍｍ））よりも短く、物体側接合面の曲率半径ｒ３の絶対値｜ｒ３｜と像側接合面の曲率半径ｒ４の絶対値｜ｒ４｜の合計１．７７８（ｍｍ）も、中間レンズＬＢの中心厚みｄＢ（第１１面の面間隔の欄の１．９９８（ｍｍ））よりも短い。
【０１０５】
レンズ面に採用される非球面形状は、ｚをサグ量、ｃを曲率半径の逆数、ｋを円錐係数、ｒを光軸からの光線高さとして、４次、６次、８次、１０次、１２次、１４次、１６次の非球面係数をそれぞれα４、α６、α８、α１０、α１２、α１４、α１６としたときに、次式により表わされる。
【０１０６】
【数１】
2018205340.tif 000004
【０１０７】
表２に、実施例１の接合レンズを適用した撮像レンズ系１１において、非球面とされたレンズ面の非球面形状を規定するための非球面係数を示す。表２において、例えば「−３．６０２５６Ｅ＋０２」は、「−３．６０２５６×１０２」を意味する。
【０１０８】
【表２】
2018205340.tif 000005
【０１０９】
本発明の接合レンズは、撮像レンズ系の絞りの像側に配置されており、前方レンズＬＡおよび後方レンズＬＣのアッベ数を３３以下とし、中間レンズＬＢのアッベ数を５０以上が望ましい。これにより、軸上色収差を良好に補正することができる。上述したように、実施例１においてもこの条件を満たしている（表１参照）。
【０１１０】
このような接合レンズが仮に全体として負のパワーを有する場合、軸上色収差の補正は良好にできるものの、全長の増大を抑えるために、３枚接合レンズの像側において撮像素子に集光させるための（テレセントリック性を確保するための）レンズをさらに配置しなくてはならない。これに対し、本発明の接合レンズは全体として正のパワーを有することで、全長の増大を抑えるために、像側において撮像素子に集光させるためのレンズを追加配置しなくても済むので、撮像レンズ系におけるレンズ枚数を減らしコンパクト化が実現できる。
【０１１１】
本発明の接合レンズでは、貼り合わせ面のいずれか一方は非球面であることが好ましい。貼り合わせ面のいずれか一方を非球面とすることで、軸上色収差をより良好に補正することができる。実施例１においては、表１に示すように、３枚接合レンズにおける貼り合わせ面の両方とも非球面である。
【０１１２】
本発明の接合レンズでは、中間レンズは、物体側レンズ面および像側レンズ面のいずれもが凸形状であることが好ましい。中間レンズを凸形状にすることにより３枚接合レンズが正のパワーを発生させるので、テレセントリック性を確保しやすくなる。実施例１においては、図１に示すように、中間レンズは、物体側レンズ面および像側レンズ面のいずれもが凸形状である。
【０１１３】
図２（ａ）〜（ｃ）は、実施例１の接合レンズを適用した撮像レンズ系１１の縦収差図、像面湾曲図、歪曲収差図である。図２（ａ）〜（ｃ）に示すように、実施例１の接合レンズを適用した撮像レンズ系１１では、半画角ωが１０２．５°、Ｆ値が２．０である。図２（ａ）の縦収差図では、横軸は光線が光軸Ｚと交わる位置を示し、縦軸は瞳径での高さを示す。図２（ｂ）の像面湾曲図では、横軸は光軸Ｚ方向の距離を示し、縦軸は像高（画角）を示す。図２（ｂ）において、Ｓａｇはサジタル面における像面湾曲を示し、Ｔａｎはタンジェンシャル面における像面湾曲を示す。図２（ｃ）の歪曲収差図では、横軸は像の歪み量（％）を示し、縦軸は像高（画角）を示す。図２（ａ）〜図２（ｃ）では、波長５４６ｎｍの光線によるシミュレーション結果を示してある。
【０１１４】
［実施例２］
図３は、実施例２の接合レンズを適用した撮像レンズ系１１の構成を示す図である。図３に示すように、第１レンズＬ１〜第３レンズＬ３、接合レンズＬＡＢＣは、実施例１と同様の形状をしている。接合レンズＬＡＢＣは撮像レンズ系１１の第４レンズとなっている。
【０１１５】
表３に、実施例２の接合レンズを適用した撮像レンズ系１１の各レンズ面のレンズデータを示す。
【０１１６】
【表３】
2018205340.tif 000006
【０１１７】
表３において、接合レンズの前方レンズＬＡのアッベ数νｄ（Ａ）は、前方レンズＬＡの物体側のレンズ面である第９面の欄に記載されている２４である。接合レンズの中間レンズＬＢのアッベ数νｄ（Ｂ）は、中間レンズＬＢの物体側のレンズ面である第１１面の欄に記載されている５６である。このように中間レンズＬＢのアッベ数νｄ（Ｂ）は５６であり、６４よりも小さい。
【０１１８】
接合レンズの後方レンズＬＣのアッベ数νｄ（Ｃ）は、後方レンズＬＣの物体側のレンズ面である第１３面の欄に記載されている２４である。つまり、実施例２において、接合レンズとしての前方レンズＬＡおよび後方レンズＬＣのアッベ数は３３以下、中間レンズＬＢのアッベ数は５０以上である。
【０１１９】
接合レンズＬＡＢＣの前方レンズＬＡの屈折率ｎｄ（Ａ）は、前方レンズＬＡの物体側のレンズ面である第９面の欄に記載されている１．６３５である。中間レンズＬＢの屈折率ｎｄ（Ｂ）は、中間レンズＬＢの物体側のレンズ面である第１１面の欄に記載されている１．５３５である。このように中間レンズＬＢの屈折率ｎｄ（Ｂ）は１．５３５であり、１．５２よりも大きい。
【０１２０】
後方レンズＬＣの屈折率ｎｄ（Ｃ）は、後方レンズＬＣの物体側のレンズ面である第１３面の欄に記載されている１．６３５である。つまり、実施例２において、接合レンズとしての前方レンズＬＡおよび後方レンズＬＣの屈折率ｎｄ（Ａ）、ｎｄ（Ｃ）は１．６以上、中間レンズＬＢの屈折率ｎｄ（Ｂ）は１．６未満である。
【０１２１】
前方レンズと中間レンズを接合する物体側接着層のアッベ数は第１０面の欄に記載されている５０であり屈折率ｎｄは１．５００である。中間レンズと後方レンズを接合する像側接着層のアッベ数は第１２面の欄に記載されている５０であり屈折率ｎｄは１．５００である。
【０１２２】
従って、物体側および像側の接着剤層は、負のパワーを備える前方レンズＬＡおよび後方レンズＬＣより大きく、かつ、正のパワーを備える中間レンズＬＢより小さいアッベ数を有している。
【０１２３】
また接着剤層は、前方レンズＬＡおよび後方レンズＬＣより小さく、かつ、中間レンズＬＢより小さい屈折率ｎｄを有している。
【０１２４】
また、３枚接合レンズＬＡＢＣにおける貼り合わせ面の両方とも非球面である。
【０１２５】
第９面から第１４面が、接合レンズＬＡＢＣの構成となる。第９面は前方レンズＬＡの入射面（曲率半径をｒ１、中心厚みをｄＡとする。）、第１０面は前方レンズＬＡの出射面（曲率半径をｒ２とする。）、第１１面は中間レンズＬＢの入射面（曲率半径をｒ３、中心厚みをｄＢとする。）、第１２面は中間レンズＬＢの出射面（曲率半径をｒ４とする。）、第１３面は後方レンズＬＣの入射面（曲率半径をｒ５、中心厚みをｄＣとする。）、第１４面は後方レンズＬＣの出射面（曲率半径をｒ６とする。）を表している。第１０面と第１１面との間、第１２面と第１３面との間は接着剤で満たされている。
【０１２６】
接合レンズの入射面（前方レンズの物体側面）の曲率半径ｒ１は、第９面の欄に記載されている２．２７０（ｍｍ）である。接合レンズの出射面（後方レンズの像側面）の曲率半径ｒ６は、第１４面の欄に記載されている−１．４４５の絶対値１．４４５（ｍｍ）である。ともに接合レンズの中心厚みｄ（前方レンズの中心厚みｄＡ＝０．４５と、中間レンズの中心厚みｄＢ＝２．１０４と、後方レンズの中心厚みｄＣ＝０．４５の総和）３．００４（ｍｍ）よりも短い。
【０１２７】
また、中間レンズＬＢの入射面（物体側接合面）の曲率半径ｒ３は第１１面の０．９６７（ｍｍ）、出射面（像側接合面）の曲率半径ｒ４は第１２面の−０．８２７の絶対値０．８２７（ｍｍ）で、それぞれ、中間レンズＬＢの中心厚みｄＢ（第１１面の面間隔の欄の２．１０４（ｍｍ））よりも短く、物体側接合面の曲率半径ｒ３の絶対値｜ｒ３｜と像側接合面の曲率半径ｒ４の絶対値｜ｒ４｜の合計１．７９４（ｍｍ）も、中間レンズＬＢの中心厚みｄＢ（第１１面の面間隔の欄の２．１０４（ｍｍ））よりも短い。
【０１２８】
表４に、実施例２の接合レンズを適用した撮像レンズ系１１において、非球面とされたレンズ面の非球面形状を規定するための非球面係数を示す。
【０１２９】
【表４】
2018205340.tif 000007
【０１３０】
図４（ａ）〜（ｃ）は、実施例２の接合レンズを適用した撮像レンズ系１１の縦収差図、像面湾曲図、歪曲収差図である。図４（ａ）〜（ｃ）に示すように、実施例２の接合レンズを適用した撮像レンズ系１１では、半画角ωが１０２°、Ｆ値が２．０である。
【０１３１】
［実施例３］
図５は、実施例３の接合レンズを適用した撮像レンズ系１１の構成を示す図である。図５に示すように、第１レンズＬ１〜第３レンズＬ３、接合レンズＬＡＢＣは、実施例１と同様の形状をしている。接合レンズＬＡＢＣは撮像レンズ系１１の第４レンズとなっている。
【０１３２】
表５に、実施例３の接合レンズを適用した撮像レンズ系１１の各レンズ面のレンズデータを示す。
【０１３３】
【表５】
2018205340.tif 000008
【０１３４】
表５において、接合レンズの前方レンズＬＡのアッベ数νｄ（Ａ）は、前方レンズＬＡの物体側のレンズ面である第９面の欄に記載されている２４である。接合レンズの中間レンズＬＢのアッベ数νｄ（Ｂ）は、中間レンズＬＢの物体側のレンズ面である第１１面の欄に記載されている５６である。このように中間レンズＬＢのアッベ数νｄ（Ｂ）は５６であり、６４よりも小さい。
【０１３５】
接合レンズの後方レンズＬＣのアッベ数νｄ（Ｃ）は、後方レンズＬＣの物体側のレンズ面である第１３面の欄に記載されている２４である。つまり、実施例３において、接合レンズとしての前方レンズＬＡおよび後方レンズＬＣのアッベ数は３３以下、中間レンズＬＢのアッベ数は５０以上である。
【０１３６】
接合レンズＬＡＢＣの前方レンズＬＡの屈折率ｎｄ（Ａ）は、前方レンズＬＡの物体側のレンズ面である第９面の欄に記載されている１．６３５である。中間レンズＬＢの屈折率ｎｄ（Ｂ）は、中間レンズＬＢの物体側のレンズ面である第１１面の欄に記載されている１．５３５である。このように中間レンズＬＢの屈折率ｎｄ（Ｂ）は１．５３５であり、１．５２よりも大きい。
【０１３７】
後方レンズＬＣの屈折率ｎｄ（Ｃ）は、後方レンズＬＣの物体側のレンズ面である第１３面の欄に記載されている１．６３５である。つまり、実施例３において、接合レンズとしての前方レンズＬＡおよび後方レンズＬＣの屈折率ｎｄ（Ａ）、ｎｄ（Ｃ）は１．６以上、中間レンズＬＢの屈折率ｎｄ（Ｂ）は１．６未満である。
【０１３８】
前方レンズと中間レンズを接合する物体側接着層のアッベ数は第１０面の欄に記載されている５０であり屈折率ｎｄは１．５００である。中間レンズと後方レンズを接合する像側接着層のアッベ数は第１２面の欄に記載されている５０であり屈折率ｎｄは１．５００である。
【０１３９】
従って、物体側および像側の接着剤層は、負のパワーを備える前方レンズＬＡおよび後方レンズより大きく、かつ、正のパワーを備える中間レンズＬＢより小さいアッベ数を有している。
【０１４０】
また接着剤層は、前方レンズＬＡおよび後方レンズＬＣより小さく、かつ、中間レンズＬＢより小さい屈折率ｎｄを有している。
【０１４１】
また、３枚接合レンズにおける貼り合わせ面の両方とも非球面である。
【０１４２】
第９面から第１４面が、接合レンズＬＡＢＣの構成となる。第９面は前方レンズＬＡの入射面（曲率半径をｒ１、中心厚みをｄＡとする。）、第１０面は前方レンズＬＡの出射面（曲率半径をｒ２とする。）、第１１面は中間レンズＬＢの入射面（曲率半径をｒ３、中心厚みをｄＢとする。）、第１２面は中間レンズＬＢの出射面（曲率半径をｒ４とする。）、第１３面は後方レンズＬＣの入射面（曲率半径をｒ５、中心厚みをｄＣとする。）、第１４面は後方レンズＬＣの出射面（曲率半径をｒ６とする。）を表している。第１０面と第１１面との間、第１２面と第１３面との間は接着剤で満たされている。
【０１４３】
接合レンズの入射面（前方レンズの物体側面）の曲率半径ｒ１は、第９面の欄に記載されている２．３０２（ｍｍ）である。接合レンズの出射面（後方レンズの像側面）の曲率半径ｒ６は、第１４面の欄に記載されている−１．４２７の絶対値１．４２７（ｍｍ）である。ともに接合レンズの中心厚みｄ（前方レンズの中心厚みｄＡ＝０．４５と、中間レンズの中心厚みｄＢ＝２．２３１と、後方レンズの中心厚みｄＣ＝０．４５の総和）３．１３１（ｍｍ）よりも短い。
【０１４４】
また、中間レンズの入射面（物体側接合面）の曲率半径ｒ３は第１１面の０．９２２（ｍｍ）、出射面（像側接合面）の曲率半径ｒ４は第１２面の−０．８９３の絶対値０．８９３（ｍｍ）で、それぞれ、中間レンズの中心厚みｄＢ（第１１面の面間隔の欄の２．２３１（ｍｍ））よりも短く、物体側接合面の曲率半径ｒ３の絶対値｜ｒ３｜と像側接合面の曲率半径ｒ４の絶対値｜ｒ４｜の合計１．８１５（ｍｍ）も、中間レンズの中心厚みｄＢ（第１１面の面間隔の欄の２．２３１（ｍｍ））よりも短い。
【０１４５】
表６に、実施例３の接合レンズを適用した撮像レンズ系１１において、非球面とされたレンズ面の非球面形状を規定するための非球面係数を示す。
【０１４６】
【表６】
2018205340.tif 000009
【０１４７】
図６（ａ）〜（ｃ）は、実施例３の接合レンズを適用した撮像レンズ系１１の縦収差図、像面湾曲図、歪曲収差図である。図６（ａ）〜（ｃ）に示すように、実施例３の接合レンズを適用した撮像レンズ系１１では、半画角ωが１０２°、Ｆ値が２．０である。
【０１４８】
［実施例４］
図７は、実施例４の接合レンズを適用した撮像レンズ系１１の構成を示す図である。図７に示すように、第１レンズＬ１〜第３レンズＬ３、接合レンズＬＡＢＣは、実施例１と同様の形状をしている。接合レンズＬＡＢＣは撮像レンズ系１１の第４レンズとなっている。
【０１４９】
表７に、実施例４の接合レンズを適用した撮像レンズ系１１の各レンズ面のレンズデータを示す。
【０１５０】
【表７】
2018205340.tif 000010
【０１５１】
表７において、接合レンズの前方レンズＬＡのアッベ数νｄ（Ａ）は、前方レンズＬＡの物体側のレンズ面である第９面の欄に記載されている２４である。接合レンズの中間レンズＬＢのアッベ数νｄ（Ｂ）は、中間レンズＬＢの物体側のレンズ面である第１１面の欄に記載されている５６である。このように中間レンズＬＢのアッベ数νｄ（Ｂ）は５６であり、６４よりも小さい。
【０１５２】
接合レンズの後方レンズＬＣのアッベ数νｄ（Ｃ）は、後方レンズＬＣの物体側のレンズ面である第１３面の欄に記載されている２４である。つまり、実施例４において、接合レンズとしての前方レンズＬＡおよび後方レンズＬＣのアッベ数は３３以下、中間レンズＬＢのアッベ数は５０以上である。
【０１５３】
接合レンズＬＡＢＣの前方レンズＬＡの屈折率ｎｄ（Ａ）は、前方レンズＬＡの物体側のレンズ面である第９面の欄に記載されている１．６３５である。中間レンズＬＢの屈折率ｎｄ（Ｂ）は、中間レンズＬＢの物体側のレンズ面である第１１面の欄に記載されている１．５３５である。このように中間レンズＬＢの屈折率ｎｄ（Ｂ）は１．５３５であり、１．５２よりも大きい。
【０１５４】
後方レンズＬＣの屈折率ｎｄ（Ｃ）は、後方レンズＬＣの物体側のレンズ面である第１３面の欄に記載されている１．６３５である。つまり、実施例４において、接合レンズとしての前方レンズＬＡおよび後方レンズＬＣの屈折率ｎｄ（Ａ）、ｎｄ（Ｃ）は１．６以上、中間レンズＬＢの屈折率ｎｄ（Ｂ）は１．６未満である。
【０１５５】
前方レンズと中間レンズを接合する物体側接着層のアッベ数は第１０面の欄に記載されている５０であり屈折率ｎｄは１．５００である。中間レンズと後方レンズを接合する像側接着層のアッベ数は第１２面の欄に記載されている５０であり屈折率ｎｄは１．５００である。
【０１５６】
従って、物体側および像側の接着剤層は、負のパワーを備える前方レンズＬＡおよび後方レンズより大きく、かつ、正のパワーを備える中間レンズＬＢより小さいアッベ数を有している。
【０１５７】
また接着剤層は、前方レンズＬＡおよび後方レンズＬＣより小さく、かつ、中間レンズＬＢより小さい屈折率ｎｄを有している。
【０１５８】
また、３枚接合レンズＬＡＢＣにおける貼り合わせ面の両方とも非球面である。
【０１５９】
第９面から第１４面が、接合レンズＬＡＢＣの構成となる。第９面は前方レンズＬＡの入射面（曲率半径をｒ１、中心厚みをｄＡとする。）、第１０面は前方レンズＬＡの出射面（曲率半径をｒ２とする。）、第１１面は中間レンズＬＢの入射面（曲率半径をｒ３、中心厚みをｄＢとする。）、第１２面は中間レンズＬＢの出射面（曲率半径をｒ４とする。）、第１３面は後方レンズＬＣの入射面（曲率半径をｒ５、中心厚みをｄＣとする。）、第１４面は後方レンズＬＣの出射面（曲率半径をｒ６とする。）を表している。第１０面と第１１面との間、第１２面と第１３面との間は接着剤で満たされている。
【０１６０】
接合レンズの入射面（前方レンズの物体側面）の曲率半径ｒ１は、第９面の欄に記載されている２．３０５（ｍｍ）である。接合レンズの出射面（後方レンズの像側面）の曲率半径ｒ６は、第１４面の欄に記載されている−１．３９０の絶対値１．３９０（ｍｍ）である。ともに接合レンズの中心厚みｄ（前方レンズの中心厚みｄＡ＝０．４５０と、中間レンズの中心厚みｄＢ＝２．０６９と、後方レンズの中心厚みｄＣ＝０．４５０の総和）２．９６９（ｍｍ）よりも短い。
【０１６１】
また、中間レンズの入射面（物体側接合面）の曲率半径ｒ３は第１１面の０．９６５（ｍｍ）、出射面（像側接合面）の曲率半径ｒ４は第１２面の−０．９８８の絶対値０．９８８（ｍｍ）で、それぞれ、中間レンズの中心厚みｄＢ（第１１面の面間隔の欄の１．９９８（ｍｍ））よりも短く、物体側接合面の曲率半径ｒ３の絶対値｜ｒ３｜と像側接合面の曲率半径ｒ４の絶対値｜ｒ４｜の合計１．９５３（ｍｍ）も、中間レンズの中心厚みｄＢ（第１１面の面間隔の欄の２．０６９（ｍｍ））よりも短い。
【０１６２】
表８に、実施例４の接合レンズを適用した撮像レンズ系１１において、非球面とされたレンズ面の非球面形状を規定するための非球面係数を示す。
【０１６３】
【表８】
2018205340.tif 000011
【０１６４】
図８（ａ）〜（ｃ）は、実施例４の接合レンズを適用した撮像レンズ系１１の縦収差図、像面湾曲図、歪曲収差図である。図８（ａ）〜（ｃ）に示すように、実施例４の接合レンズを適用した撮像レンズ系１１では、半画角ωが１０２．５°、Ｆ値が２．０である。
【０１６５】
［各実施例の焦点距離の計算］
表９に、実施例１〜４の接合レンズＬＡＢＣを適用した撮像レンズ系１１の各種焦点距離の値を計算した結果を示す。撮像レンズ系１１において、第１レンズＬ１の焦点距離をｆ１、第２レンズＬ２の焦点距離をｆ２、第３レンズＬ３の焦点距離をｆ３、接合レンズＬＡＢＣの前方レンズＬＡの焦点距離をｆＡ、中間レンズＬＢの焦点距離をｆＢ、後方レンズＬＣの焦点距離をｆＣ、前方レンズＬＡと中間レンズＬＢと後方レンズＬＣとの合成焦点距離（３枚接合レンズの合成焦点距離）をｆＡＢＣ、レンズ全系の焦点距離をｆ、としたときのこれらの値を、撮像レンズ系の半画角、Ｆ値のデータとともに、表９に示す。
【０１６６】
各種の焦点距離は、５４６ｎｍの波長の光線を用いて、５４６ｎｍの波長におけるレンズ材料の屈折率として、第１レンズＬ１の屈折率を１．７７６２、第２レンズＬ２の屈折率を１．５３７、第３レンズＬ３の屈折率を１．５８７、接合レンズＬＡＢＣの前方レンズＬＡの屈折率を１．６４１、中間レンズＬＢの屈折率を１．５３７、後方レンズＬＣの屈折率を１．６４１として、それぞれ計算により求めた。
【０１６７】
【表９】
2018205340.tif 000012
【０１６８】
［条件式のまとめ］
表１０に、実施例１〜４の接合レンズにおいて、条件式（１）〜（２５）のパラメータを計算した結果を示す。
【０１６９】
【表１０】
2018205340.tif 000013
【０１７０】
［撮像装置への適用例］
図９は、本発明の接合レンズを適用した撮像レンズ系１１を用いた撮像装置１０の構成を示す図である。撮像装置１０は、撮像レンズ系１１と、ＩＲカットフィルタ１２と、カバーガラス１３と、撮像素子１４と、を備える。撮像レンズ系１１と、ＩＲカットフィルタ１２と、カバーガラス１３と、撮像素子１４と、は筐体（不図示）に収容されている。
【０１７１】
撮像素子１４は、受光した光を電気信号に変換する素子であり、例えば、ＣＣＤイメージセンサやＣＭＯＳイメージセンサが用いられる。撮像素子１４は、撮像レンズ系１１の焦点位置に配置されている。なお、水平画角とは、撮像素子１４の水平方向に対応する画角である。
【０１７２】
ＩＲカットフィルタ１２は、赤外領域の光をカットするためのフィルタである。可視光のみがＩＲカットフィルタ１２を通過して撮像素子１４に入射する。カバーガラス１３は、撮像素子１４を異物から保護するために、撮像素子１４上に設けられている。
【０１７３】
なお、本発明の接合レンズは上記実施の形態に限られたものではなく、趣旨を逸脱しない範囲で適宜変更することが可能である。例えば、本発明の接合レンズを適用した撮像レンズ系１１の用途は、車載カメラに限定されるものではなく、監視カメラや、携帯電話等の小型電子機器に搭載するカメラ等の他の用途にも用いることができる。
【符号の説明】
【０１７４】
１０  撮像装置
１１  撮像レンズ系
１２  ＩＲカットフィルタ
１３  カバーガラス
１４  撮像素子
Ｌ１〜Ｌ３  第１レンズ〜第３レンズ
ＬＡ  接合レンズの前方レンズ
ＬＢ  接合レンズの中間レンズ
ＬＣ  接合レンズの後方レンズ
【図１】
2018205340.tif 000014
【図２】
2018205340.tif 000015
【図３】
2018205340.tif 000016
【図４】
2018205340.tif 000017
【図５】
2018205340.tif 000018
【図６】
2018205340.tif 000019
【図７】
2018205340.tif 000020
【図８】
2018205340.tif 000021
【図９】
2018205340.tif 000022